【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定すること、ここにおいて、前記１つまたは複数の基準信号のうちの少なくとも１つは、アグリゲーションの間に再配置される、と、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を備える、方法。
【請求項２】
前記少なくとも１つのデータペイロードを割り振ることは、
前記アグリゲートされたミニスロットのセットにわたって前記少なくとも１つのデータペイロードを割り振ることを備える、
請求項１に記載の方法。
【請求項３】
前記少なくとも１つのデータペイロードを割り振ることは、
前記アグリゲートされたミニスロットのセットのそれぞれのミニスロットに前記少なくとも１つのペイロードの各データペイロードを割り振ることを備える、
請求項１に記載の方法。
【請求項４】
前記基準信号構成を決定することは、
前記アグリゲートされたミニスロットのセットにわたって基準信号パターンを決定することを備える、
請求項１に記載の方法。
【請求項５】
前記少なくとも１つのデータペイロードを割り振ることは、
前記アグリゲートされたミニスロットのセットにわたって前記少なくとも１つのデータペイロードを割り振ることを備え、
前記基準信号構成は、前記アグリゲートされたミニスロットのセットの各ミニスロットのための基準信号パターンを決定することを備える、
請求項１に記載の方法。
【請求項６】
前記アグリゲートされたミニスロットのセットのうちの少なくとも１つのミニスロットのためのパンクチャリングの度合を決定することをさらに備え、前記少なくとも１つのミニスロットの分割は、前記決定されたパンクチャリングの度合に少なくとも部分的に基づく、
請求項１に記載の方法。
【請求項７】
前記少なくとも１つのデータペイロードを割り振ることは、
前記アグリゲートされたミニスロットのセットのそれぞれのミニスロットに前記少なくとも１つのペイロードの各データペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
請求項１に記載の方法。
【請求項８】
前記アグリゲートされたミニスロットのセットのうちの複数のミニスロットに共通する情報を備える少なくとも１つの許可を識別することをさらに備え、前記複数のミニスロットに対応するダウンリンク制御情報（ＤＣＩ）は、前記複数のミニスロットに前記共通の情報に少なくとも部分的に基づく、
請求項７に記載の方法。
【請求項９】
前記少なくとも１つの許可を指し示すインジケータのアイデンティフィケーションに少なくとも部分的に基づく前記少なくとも１つの許可を識別することをさらに備える、
請求項８に記載の方法。
【請求項１０】
前記アグリゲートされたミニスロットのセットの各ミニスロットのための１つまたは複数のスケジューリングパラメータおよび前記アグリゲートされたミニスロットのセットのうちの少なくとも２つのミニスロットの間の区切りを決定することをさらに備え、前記基準信号構成は、前記スケジューリングパラメータおよび前記区切りに少なくとも部分的に基づいて決定される、
請求項７に記載の方法。
【請求項１１】
２つのミニスロットの間の時間区切りおよび周波数区切りのうちの１つまたは両方に少なくとも部分的に基づいて前記アグリゲートされたミニスロットのセットのうちの前記２つのミニスロットの間の前記基準信号パターンを共有するかどうか決定することをさらに備える、
請求項７に記載の方法。
【請求項１２】
前記少なくとも１つのデータペイロードを割り振ることは、
前記アグリゲートされたミニスロットのセットにわたっておよび単一許可メッセージに少なくとも部分的に基づいて前記少なくとも１つのデータペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
請求項１に記載の方法。
【請求項１３】
前記単一許可メッセージに少なくとも部分的に基づいて、前記アグリゲートされたミニスロットのセットうちの複数のミニスロットに共通の１つまたは複数のスケジューリングパラメータを決定することをさらに備え、前記基準信号パターンは、前記１つまたは複数のスケジューリングパラメータに少なくとも部分的に基づく、
請求項１２に記載の方法。
【請求項１４】
ワイヤレス通信のための装置であって、
１つまたは複数の基準信号および少なくとも１つのデータペイロードの送信のために使用されるべきアグリゲートされたミニスロットのセットを識別するための手段と、
前記アグリゲートされたミニスロットのセットを介して前記１つまたは複数の基準信号の送信のための基準信号構成を決定するための手段、ここにおいて、前記１つまたは複数の基準信号のうちの少なくとも１つは、アグリゲーションの間に再配置される、と、
前記アグリゲートされたミニスロットのセットに関連付けられたリソースに前記少なくとも１つのデータペイロードを割り振るための手段と、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信するための手段と
を備える、装置。
【請求項１５】
ワイヤレス通信のためのコードを記憶する非一時的コンピュータ可読媒体であって、前記コードは、実行されると、プロセッサによって、請求項１乃至１３のいずれか１項に記載の方法をを行うように実行可能な命令を備える、非一時的コンピュータ可読媒体。
【手続補正２】
【補正対象書類名】明細書
【補正対象項目名】０１７４
【補正方法】変更
【補正の内容】
【０１７４】
[0184]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。したがって、本開示は、本明細書で説明された例および設計に限定されるべきではなく、本明細書で開示された原理および新規の特徴に合致する最も広い範囲を与えられることとなる。
以下に、本願出願の当初の特許請求の範囲に記載された発明を付記する。
［Ｃ１］
ワイヤレス通信のための方法であって、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を備える、方法。
［Ｃ２］
前記少なくとも１つのデータペイロードを割り振ることは、
前記アグリゲートされたミニスロットのセットにわたって前記少なくとも１つのデータペイロードを割り振ることを備える、
［Ｃ１］に記載の方法。
［Ｃ３］
前記少なくとも１つのデータペイロードを割り振ることは、
前記アグリゲートされたミニスロットのセットのそれぞれのミニスロットに前記少なくとも１つのペイロードの各データペイロードを割り振ることを備える、
［Ｃ１］に記載の方法。
［Ｃ４］
前記基準信号構成を決定することは、
前記アグリゲートされたミニスロットのセットにわたって基準信号パターンを決定することを備える、
［Ｃ１］に記載の方法。
［Ｃ５］
前記少なくとも１つのデータペイロードを割り振ることは、
前記アグリゲートされたミニスロットのセットにわたって前記少なくとも１つのデータペイロードを割り振ることを備え、
前記基準信号構成は、前記アグリゲートされたミニスロットのセットの各ミニスロットのための基準信号パターンを決定することを備える、
［Ｃ１］に記載の方法。
［Ｃ６］
前記アグリゲートされたミニスロットのセットのうちの少なくとも１つのミニスロットのためのパンクチャリングの度合を決定することをさらに備え、前記少なくとも１つのミニスロットの分割は、前記決定されたパンクチャリングの度合に少なくとも部分的に基づく、
［Ｃ１］に記載の方法。
［Ｃ７］
前記少なくとも１つのデータペイロードを割り振ることは、
前記アグリゲートされたミニスロットのセットのそれぞれのミニスロットに前記少なくとも１つのペイロードの各データペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
［Ｃ１］に記載の方法。
［Ｃ８］
前記アグリゲートされたミニスロットのセットのうちの第１のミニスロットのための基準信号波形は、前記アグリゲートされたミニスロットのセットのうちの第２のミニスロットの前記基準信号波形と異なる、
［Ｃ７］に記載の方法。
［Ｃ９］
前記アグリゲートされたミニスロットのセットのうちの複数のミニスロットに共通する情報を備える少なくとも１つの許可を識別することをさらに備え、前記複数のミニスロットに対応するダウンリンク制御情報（ＤＣＩ）は、前記複数のミニスロットに前記共通の情報に少なくとも部分的に基づく、
［Ｃ７］に記載の方法。
［Ｃ１０］
前記少なくとも１つの許可を指し示すインジケータのアイデンティフィケーションに少なくとも部分的に基づく前記少なくとも１つの許可を識別することをさらに備える、
［Ｃ９］に記載の方法。
［Ｃ１１］
前記少なくとも１つの許可を指し示す前記インジケータは、前記複数のミニスロットに対応する前記ＤＣＩ中に含まれる、
［Ｃ１０］に記載の方法。
［Ｃ１２］
前記複数のミニスロットに前記共通の情報は、波形特徴、リソースブロック割り振り、ランク、またはこれらの組合せを備える、
［Ｃ９］に記載の方法。
［Ｃ１３］
前記ＤＣＩは、前記複数のミニスロットに前記共通の情報に対応する１つまたは複数の短縮されたフィールドを備える、
［Ｃ９］に記載の方法。
［Ｃ１４］
前記少なくとも１つの許可は、単一許可から成る、
［Ｃ９］に記載の方法。
［Ｃ１５］
前記複数のミニスロットのための前記基準信号構成は、前記複数のミニスロットに対応する前記ＤＣＩに少なくとも部分的に基づいて決定される、
［Ｃ９］に記載の方法。
［Ｃ１６］
前記アグリゲートされたミニスロットのセットの各ミニスロットのための１つまたは複数のスケジューリングパラメータおよび前記アグリゲートされたミニスロットのセットのうちの少なくとも２つのミニスロットの間の区切りを決定することをさらに備え、前記基準信号構成は、前記スケジューリングパラメータおよび前記区切りに少なくとも部分的に基づいて決定される、
［Ｃ７］に記載の方法。
［Ｃ１７］
２つのミニスロットの間の時間区切りおよび周波数区切りのうちの１つまたは両方に少なくとも部分的に基づいて前記アグリゲートされたミニスロットのセットのうちの前記２つのミニスロットの間の前記基準信号パターンを共有するかどうか決定することをさらに備える、
［Ｃ７］に記載の方法。
［Ｃ１８］
前記アグリゲートされたミニスロットのセットのうちの複数のミニスロットは、連続的であり、同じリソース割り振りを有する、
［Ｃ７］に記載の方法。
［Ｃ１９］
前記少なくとも１つのデータペイロードを割り振ることは、
前記アグリゲートされたミニスロットのセットにわたっておよび単一許可メッセージに少なくとも部分的に基づいて前記少なくとも１つのデータペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
［Ｃ１］に記載の方法。
［Ｃ２０］
前記単一許可メッセージに少なくとも部分的に基づいて、前記アグリゲートされたミニスロットのセットうちの複数のミニスロットに共通の１つまたは複数のスケジューリングパラメータを決定することをさらに備え、前記基準信号パターンは、前記１つまたは複数のスケジューリングパラメータに少なくとも部分的に基づく、
［Ｃ１９］に記載の方法。
［Ｃ２１］
前記少なくとも１つのデータペイロードの前記割り振りまたは前記基準信号構成の前記決定は、前記アグリゲートされたミニスロットのセットの各ミニスロットのための変調およびコーディングスキーム（ＭＣＳ）に少なくとも部分的に基づき、第１のミニスロットのための前記ＭＣＳは、第２のミニスロットのための前記ＭＣＳと異なる、
［Ｃ１９］に記載の方法。
［Ｃ２２］
周波数第１のマッピングスキームまたは時間第１のマッピングスキームに少なくとも部分的に基づいて前記アグリゲートされたミニスロットのセットを符号化することをさらに備え、前記１つまたは複数の基準信号および前記少なくとも１つのデータペイロードの送信は、前記符号化することに基づく、
［Ｃ１］に記載の方法。
［Ｃ２３］
それぞれの許可メッセージを介して、または単一許可メッセージを介して前記アグリゲートされたミニスロットのセットの各々をスケジュールすることをさらに備える、
［Ｃ１］に記載の方法。
［Ｃ２４］
前記アグリゲートされたミニスロットのセットのうちの第１のミニスロットは、前記アグリゲートされたミニスロットのセットのうちの第２のミニスロットと異なる帯域幅を有する、
［Ｃ１］に記載の方法。
［Ｃ２５］
前記基準信号構成は、前記アグリゲートされたミニスロットのセットのうちの１つまたは複数のミニスロットの、スペクトル効率、リソース要素（ＲＥ）の数、トランスポートブロック（ＴＢＳ）、ＴＢＳおよびＲＥの数の比、またはこれらの任意の組合せに基づいて決定される、
［Ｃ１］に記載の方法。
［Ｃ２６］
前記基準信号構成は、前記アグリゲートされたミニスロットのセットの各ミニスロットのための変調およびコーディングスキーム（ＭＣＳ）に少なくとも部分的に基づいて決定される、
［Ｃ１］に記載の方法。
［Ｃ２７］
前記少なくとも１つのデータペイロードの前記割り振りは、前記アグリゲートされたミニスロットのセットの各ミニスロットのための変調およびコーディングスキーム（ＭＣＳ）に少なくとも部分的に基づき、前記アグリゲートされたミニスロットのセットのうちの第１のミニスロットのための前記ＭＣＳは、前記アグリゲートされたミニスロットのセットのうちの第２のミニスロットのための前記ＭＣＳと異なる、
［Ｃ１］に記載の方法。
［Ｃ２８］
前記１つまたは複数の基準信号は、復調基準信号（ＤＭＲＳ）、位相トラッキング基準信号（ＰＴＲＳ）、時間トラッキング基準信号、または周波数トラッキング基準信号を備える、
［Ｃ１］に記載の方法。
［Ｃ２９］
ワイヤレス通信のための装置であって、
１つまたは複数の基準信号および少なくとも１つのデータペイロードの送信のために使用されるべきアグリゲートされたミニスロットのセットを識別するための手段と、
前記アグリゲートされたミニスロットのセットを介して前記１つまたは複数の基準信号の送信のための基準信号構成を決定するための手段と、
前記アグリゲートされたミニスロットのセットに関連付けられたリソースに前記少なくとも１つのデータペイロードを割り振るための手段と、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信するための手段と
を備える、装置。
［Ｃ３０］
前記少なくとも１つのペイロードを前記割り振るための手段は、
前記アグリゲートされたミニスロットのセットにわたって前記少なくとも１つのデータペイロードを割り振るための手段を備える、
［Ｃ２９］に記載の装置。
［Ｃ３１］
前記少なくとも１つのペイロードを前記割り振るための手段は、
前記アグリゲートされたミニスロットのセットのそれぞれのミニスロットに前記少なくとも１つのペイロードの各データペイロードを割り振るための手段を備える、
［Ｃ２９］に記載の装置。
［Ｃ３２］
前記基準信号を前記決定するための手段は、
前記アグリゲートされたミニスロットのセットにわたって基準信号パターンを決定するための手段を備える、
［Ｃ２９］に記載の装置。
［Ｃ３３］
前記アグリゲートされたミニスロットのセットにわたって前記少なくとも１つのデータペイロードを割り振るこための手段と、
前記アグリゲートされたミニスロットのセットの各ミニスロットのための基準信号パターンを決定するための手段と
［Ｃ２９］に記載の装置。
［Ｃ３４］
前記アグリゲートされたミニスロットのセットのうちの少なくとも１つのミニスロットのためのパンクチャリングの度合を決定するための手段をさらに備え、前記少なくとも１つのミニスロットの分割は、前記決定されたパンクチャリングの度合に少なくとも部分的に基づく、
［Ｃ２９］に記載の装置。
［Ｃ３５］
前記アグリゲートされたミニスロットのセットのそれぞれのミニスロットに前記少なくとも１つのペイロードの各データペイロードを割り振るための手段と、
前記アグリゲートされたミニスロットのセットにわたって基準信号パターンを決定するための手段、ここにおいて、前記基準信号パターンは、前記アグリゲートされたミニスロットのセットのうちの複数のミニスロットの間で共有される、と
をさらに備える、［Ｃ２９］に記載の装置。
［Ｃ３６］
前記アグリゲートされたミニスロットのセットのうちの第１のミニスロットのための基準信号波形は、前記アグリゲートされたミニスロットのセットのうちの第２のミニスロットの前記基準信号波形と異なる、
［Ｃ３５］に記載の装置。
［Ｃ３７］
前記アグリゲートされたミニスロットのセットのうちの複数のミニスロットに共通する情報を備える少なくとも１つの許可を識別するための手段をさらに備え、前記複数のミニスロットに対応するダウンリンク制御情報（ＤＣＩ）は、前記複数のミニスロットに前記共通の情報に少なくとも部分的に基づく、
［Ｃ３５］に記載の装置。
［Ｃ３８］
前記少なくとも１つの許可を指し示すインジケータのアイデンティフィケーションに少なくとも部分的に基づく前記少なくとも１つの許可を識別するための手段をさらに備える、
［Ｃ３７］に記載の装置。
［Ｃ３９］
前記少なくとも１つの許可を指し示す前記インジケータは、前記複数のミニスロットに対応する前記ＤＣＩ中に含まれる、
［Ｃ３８］に記載の装置。
［Ｃ４０］
前記複数のミニスロットに前記共通の情報は、波形特徴、リソースブロック割り振り、ランク、またはこれらの組合せを備える、
［Ｃ３７］に記載の装置。
［Ｃ４１］
前記ＤＣＩは、前記複数のミニスロットに前記共通の情報に対応する１つまたは複数の短縮されたフィールドを備える、
［Ｃ３７］に記載の装置。
［Ｃ４２］
前前記少なくとも１つの許可は、単一許可から成る、
［Ｃ３７］に記載の装置。
［Ｃ４３］
前記複数のミニスロットのための前記基準信号構成は、前記複数のミニスロットに対応する前記ＤＣＩに少なくとも部分的に基づいて決定される、
［Ｃ３７］に記載の装置。
［Ｃ４４］
前記アグリゲートされたミニスロットのセットの各ミニスロットのための１つまたは複数のスケジューリングパラメータおよび前記アグリゲートされたミニスロットのセットのうちの少なくとも２つのミニスロットの間の区切りを決定するための手段をさらに備え、前記基準信号構成は、前記スケジューリングパラメータおよび前記区切りに少なくとも部分的に基づいて決定される、
［Ｃ３５］に記載の装置。
［Ｃ４５］
２つのミニスロットの間の時間区切りおよび周波数区切りのうちの１つまたは両方に少なくとも部分的に基づいて前記アグリゲートされたミニスロットのセットのうちの前記２つのミニスロットの間の前記基準信号パターンを共有するかどうか決定するための手段をさらに備える、
［Ｃ３５］に記載の装置。
［Ｃ４６］
前記アグリゲートされたミニスロットのセットのうちの複数のミニスロットは、連続的であり、同じリソース割り振りを有する、
［Ｃ３５］に記載の装置。
［Ｃ４７］
前記アグリゲートされたミニスロットのセットにわたっておよび単一許可メッセージに少なくとも部分的に基づいて前記少なくとも１つのデータペイロードを割り振るための手段を備え、
前記アグリゲートされたミニスロットのセットにわたって基準信号パターンを決定するための手段、ここにおいて、前記基準信号パターンは、前記アグリゲートされたミニスロットのセットのうちの複数のミニスロットの間で共有される、と
をさらに備える、［Ｃ２９］に記載の装置。
［Ｃ４８］
前記単一許可メッセージに少なくとも部分的に基づいて、前記アグリゲートされたミニスロットのセットうちの複数のミニスロットに共通の１つまたは複数のスケジューリングパラメータを決定するための手段をさらに備え、前記基準信号パターンは、前記１つまたは複数のスケジューリングパラメータに少なくとも部分的に基づく、、
［Ｃ４７］に記載の装置。
［Ｃ４９］
前記少なくとも１つのデータペイロードの前記割り振りまたは前記基準信号構成の前記決定は、前記アグリゲートされたミニスロットのセットの各ミニスロットのための変調およびコーディングスキーム（ＭＣＳ）に少なくとも部分的に基づき、第１のミニスロットのための前記ＭＣＳは、第２のミニスロットのための前記ＭＣＳと異なる、
［Ｃ４７］に記載の装置。
［Ｃ５０］
周波数第１のマッピングスキームまたは時間第１のマッピングスキームに少なくとも部分的に基づいて前記アグリゲートされたミニスロットのセットを符号化するための手段をさらに備え、前記１つまたは複数の基準信号および前記少なくとも１つのデータペイロードの送信は、前記符号化することに基づく、
［Ｃ２９］に記載の装置。
［Ｃ５１］
それぞれの許可メッセージを介して、または単一許可メッセージを介して前記アグリゲートされたミニスロットのセットの各々をスケジュールするための手段をさらに備える、
［Ｃ２９］に記載の装置。
［Ｃ５２］
前記アグリゲートされたミニスロットのセットのうちの第１のミニスロットは、前記アグリゲートされたミニスロットのセットのうちの第２のミニスロットと異なる帯域幅を有する、
［Ｃ２９］に記載の装置。
［Ｃ５３］
前記基準信号構成は、前記アグリゲートされたミニスロットのセットのうちの１つまたは複数のミニスロットの、スペクトル効率、リソース要素（ＲＥ）の数、トランスポートブロック（ＴＢＳ）、ＴＢＳおよびＲＥの数の比、またはこれらの任意の組合せに基づいて決定される、
［Ｃ２９］に記載の装置。
［Ｃ５４］
前記基準信号構成は、前記アグリゲートされたミニスロットのセットの各ミニスロットのための変調およびコーディングスキーム（ＭＣＳ）に少なくとも部分的に基づいて決定される、
［Ｃ２９］に記載の装置。
［Ｃ５５］
前記少なくとも１つのデータペイロードの前記割り振りは、前記アグリゲートされたミニスロットのセットの各ミニスロットのための変調およびコーディングスキーム（ＭＣＳ）に少なくとも部分的に基づき、前記アグリゲートされたミニスロットのセットのうちの第１のミニスロットのための前記ＭＣＳは、前記アグリゲートされたミニスロットのセットのうちの第２のミニスロットのための前記ＭＣＳと異なる、
［Ｃ２９］に記載の装置。
［Ｃ５６］
前記１つまたは複数の基準信号は、復調基準信号（ＤＭＲＳ）、位相トラッキング基準信号（ＰＴＲＳ）、時間トラッキング基準信号、または周波数トラッキング基準信号を備える、
［Ｃ２９］に記載の装置。
［Ｃ５７］
ワイヤレス通信のための装置であって、
プロセッサと、
前記プロセッサと電子通信中のメモリと、
前記メモリ中に記憶され、前記装置に、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を行わせる、前記プロセッサによって実行可能な命令と
備える、装置。
［Ｃ５８］
ワイヤレス通信のためのコードを記憶する非一時的コンピュータ可読媒体であって、前記コードは、プロセッサによって、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を行うように実行可能な命令を備える、非一時的コンピュータ可読媒体。